(57)【要約】      （修正有）【課題】生産がしやすく、複数の金型が必要なく、生産コストを節約可能なマッサージチェアを提供する。【解決手段】マッサージチェアのシートボディは背部支持本体と脚部支持本体１からなり、背部支持本体及び／又は脚部支持本体はいずれもＥＰＰ材料で形成される一体型の支持部材であり、支持部材が背部支持本体であるとき、湾曲状であり、かつ中心孔を有し、支持部材が脚部支持本体であるとき、上下に接続される２つの基体１１、１２からなり、人体の脚部と足部とを収容する収容溝１０１を有し、かつ支持部材の収容溝に対向する外面上に重量軽減凹溝１０２が設けられる。【選択図】図１
0003231443.tif 000002
【実用新案登録請求の範囲】
【請求項１】
マッサージチェアであって、
前記マッサージチェアのシートボディは背部支持本体と脚部支持本体からなり、前記背部支持本体及び／又は前記脚部支持本体はいずれもＥＰＰ材料で形成される一体型の支持部材であり、
前記支持部材が前記背部支持本体であるとき、湾曲状であり、かつ中心孔を有し、
前記支持部材が前記脚部支持本体であるとき、人体の脚部と足部とを収容する収容溝を有し、かつ前記支持部材の前記収容溝に対向する外面上に重量軽減凹溝が設けられることを特徴とするマッサージチェア。
【請求項２】
前記収容溝内に、突出する突起部が設けられることを特徴とする請求項１に記載のマッサージチェア。
【請求項３】
足部に対応する前記収容溝の溝底は、マッサージ部品の据え付けに用いる据え付け孔を有することを特徴とする請求項１に記載のマッサージチェア。
【請求項４】
前記支持部材が脚部支持本体であるとき、上下に接続する２つの基体からなり、上方に位置する基体に人体の脚部を収容する第一溝が設けられ、下方に位置する基体に足部を収容する第二溝が設けられ、前記第一溝と前記第二溝とが連通して前記収容溝を構成することを特徴とする請求項１に記載のマッサージチェア。
【請求項５】
前記支持部材が前記背部支持本体であるとき、人体の臀部の支持に用いる折り曲げ部を有することを特徴とする請求項１に記載のマッサージチェア。
【請求項６】
前記支持部材は、発泡成形の前に、ＥＰＰ材料に対して加圧処理が行われることを特徴とする請求項１に記載のマッサージチェア。
【考案の詳細な説明】
【技術分野】
【０００１】
本考案はマッサージチェア技術分野に関し、特に、マッサージチェアに関する。
【背景技術】
【０００２】
現在、マッサージチェアのシートボディは独立した複数の支持部材の接続によって構成され、例えば、人体の上半身に対応するものは、一般に、背部支持部材と臀部支持部材とがボルトによって接続されてなり、人体の下半身に対応するものも、一般に、いくつかの構造部材に分けられて単独で生産され、その後、再び組み立てることによって完成する。このため、異なる支持部材に対応してそれぞれ独立して金型を作成する必要があり、生産コストを増加させ、また、後から組み立てる必要があり、同時に組み立てコストを増加させ、また、各支持部材は使用者の重量に耐える必要があり、組み立てて形成されたシートボディは強度が弱いため、長時間使用した後に一定の確率で破断が発生するか、又は変形によって異音を引き起こす。
【０００３】
このため、生産コストが低く、かつ使用寿命が長いマッサージチェアが必要である。
【考案の概要】
【考案が解決しようとする課題】
【０００４】
以上に述べた従来技術の欠点に鑑み、本考案の目的はマッサージチェアを提供することであり、従来技術における、組み立て生産が複雑であり、かつ使用寿命が短いという問題を解決することに用いられる。
【課題を解決するための手段】
【０００５】
前記目的及び他の関連する目的を実現するために、本考案はマッサージチェアを提供し、前記マッサージチェアのシートボディは背部支持本体と脚部支持本体からなり、前記背部支持本体及び／又は前記脚部支持本体はいずれもＥＰＰ材料で形成される一体型の支持部材であり、前記支持部材が前記背部支持本体であるとき、湾曲状であり、かつ中心孔を有し、前記支持部材が前記脚部支持本体であるとき、人体の脚部と足部とを収容する収容溝を有し、かつ前記支持部材の前記収容溝に対向する外面上に重量軽減凹溝が設けられる。
【０００６】
好ましくは、前記収容溝内に、突出する突起部が設けられる。
【０００７】
好ましくは、足部に対応する前記収容溝の溝底は、マッサージ部品の据え付けに用いる据え付け孔を有する。
【０００８】
好ましくは、前記支持部材が脚部支持本体であるとき、上下に連係する２つの基体からなり、上方に位置する基体上には人体の脚部を収容する第一溝が設けられ、下方に位置する基体上には足部を収容する第二溝が設けられ、前記第一溝と前記第二溝とが連通して前記収容溝を構成する。
【０００９】
好ましくは、上方に位置する前記基体と下方に位置する前記基体は、収容溝に対応する溝底部分にのみ接続部を有する。
【００１０】
好ましくは、前記支持部材が背部支持本体であるとき、人体の臀部の支持に用いる折り曲げ部を有する。
【００１１】
好ましくは、前記支持部材は、発泡成形の前に、ＥＰＰ材料に対して加圧処理が行われる。
【考案の効果】
【００１２】
上述のように、本考案のマッサージチェアによれば、マッサージチェアのシートボディは２つの支持部材のみ、すなわち背部支持本体と脚部支持本体を含み、かつ２つの支持部材はいずれもＥＰＰ材料で形成される一体型の構造部材であるので、生産しやすく、複数の金型が必要なく、生産コストを節約可能であり、また、一体型の支持部材は強度が高く、変形が小さく、使用寿命が長い。
【図面の簡単な説明】
【００１３】
【図１】図１は本考案の脚部支持本体の正面の模式図である。
【図２】図２は本考案の脚部支持本体の背面の模式図である。
【図３】図３は本考案の背部支持本体の正面の模式図である。
【図４】図４は本考案の背部支持本体の背面の模式図である。
【考案を実施するための形態】
【００１４】
以下、特定の具体的な実施形態を通じて本考案の実施手段を説明するが、当業者であれば本明細書で開示された内容によって本考案の他の利点及び効果を容易に理解することができる。
【００１５】
図１から図４を参照されたい。なお、本明細書の図面に記載する構造、比率、寸法などはいずれも、明細書に開示の内容と組み合わせることで当業者の理解と閲読に供するものにすぎず、本考案で実施可能な限定条件を規定するものではないため、技術上の実質的意味はない。あらゆる構造の補足、比率関係の変更又は寸法の調整は、本考案により得られる効果及び達成可能な目的に影響しないことを前提に、いずれも本考案で開示する技術内容の範囲に包括される。また、本明細書で引用する「上」、「下」、「左」、「右」、「中間」、「一の」などの用語もまた記述を明瞭化するためのものにすぎず、本考案で実施可能な範囲を限定するものではない。よって、相対関係の変更又は調整もまた、技術内容を実質的に変更しないことを前提に、本考案で実施可能な範疇とみなされる。
【００１６】
実施形態１
【００１７】
図１から図４に示すように、本実施形態はマッサージチェアを提供し、マッサージチェアのシートボディは背部支持本体２と脚部支持本体１からなり、背部支持本体２及び／又は脚部支持本体１はいずれもＥＰＰ材料で形成される一体型の支持部材である。図３及び図４に示すように、背部支持本体２は、湾曲状であり、かつ中心孔２０１を有し、本実施形態ではＥＰＰ材料によって一体型の湾曲部材に形成され、マッサージチェアの背部支持本体２を構成するので、複数の部品に分けて独立して加工する必要がなく、生産効率を高め、生産コストを節約可能である。中心孔２０１は、背部支持本体２の支持強度が変わらないことを確実に保証した状態で支持部材全体の重量を軽減し、材料を節約し、かつマッサージチェア内のマッサージ機構が中心孔２０１内で運動しやすくなり、人体の上半身全体に対するマッサージを実現する。
【００１８】
本実施形態において、背部支持本体２は背中支持部２１と折り曲げ部２２とに分けられ、折り曲げ部２２は主に人体の臀部を支持するのに用いられ、湾曲構造を有する。背部支持と臀部支持とを一体化することで、分離設置する必要がなくなる。
【００１９】
実施形態２
【００２０】
図１及び図２に示すように、本実施形態において、支持部材が脚部支持本体１であるとき、人体の脚部と足部とを収容する収容溝１０１を有し、かつ支持部材の収容溝１０１に対向する外面上に重量軽減凹溝１０２が設けられる。本実施形態において、ＥＰＰ材料によって脚部支持と足部支持とを一体構造とするので、後から組み立てる必要がなく、生産効率が高まり、また、ＥＰＰ材料を採用するため、部材の安定性が良好である。
【００２１】
本実施形態において、収容溝１０１内に溝状空洞を持つ凹溝部１０３が設けられ、本実施形態の凹溝部１０３は収容溝の底面から上に突出する突起部としてもよく、当該凹溝部１０３は、通常、エアチューブ又は電線を取り付けるための通過孔である。
【００２２】
足部に対応する収容溝の溝底は、マッサージ部品の据え付けに用いる据え付け孔１０４を有し、据え付け孔１０４はマッサージ部品の据え付けを便利にし、支持部材全体の重量を軽減する効果も発揮する。
【００２３】
具体的に、支持部材は上下に接続する２つの基体からなり、上方に位置する基体１１上に人体の脚部を収容する第一溝が設けられ、下方に位置する基体１２上に足部を収容する第二溝を有し、第一溝と第二溝とが連通して前記収容溝を構成する。上方に位置する基体１１と下方に位置する基体１２は下腿部を置く空間であり、基体１１又は基体１２の中にマッサージエアバッグ又は他のマッサージ機構を取り付け、下腿部に対してマッサージ機能を提供する。
【００２４】
実施形態３
【００２５】
マッサージチェアの好ましい実施形態の一つとして、シートボディの背部支持本体と脚部支持本体は、実施形態１と実施形態２における支持部材構造をそれぞれ採用し、いずれも一体部材であり、使用するには組み立てる必要がなく、かつ生産コストを節約する。
【００２６】
前記支持部材の成形プロセスは、材料加圧（保圧）、フォーム成形、フォーム乾燥セット、検査などを含むことができ、これによって一体成形し、独立した一つの一体部材を構成する。材料（すなわち、前記ＥＰＰ材料）加圧は、具体的に、密度が低い成形部材を生産するために、発泡成形の前に加圧によって原料顆粒内部の圧力を高める必要がある。これは、加圧した原料は、密度が異なる各種成形部材の生産を実現することができるからである。このほか、加圧は成形部材の離型後の収縮度合いを下げることもでき、表面効果がより良好になる。具体的には、加圧は気体が顆粒の外壁を透過することによって実現するものであり、この過程において、時間、圧力、温度などのパラメータを変更することにより、加圧に対して調節を行うことができる。加圧過程を経た後、成形製品の密度は直ちに低下する。
【００２７】
したがって、本考案は従来技術における種々の欠点を効果的に克服し、高度な産業利用価値を有する。
【００２８】
前記実施形態は本考案の原理と効果を例示的に説明するにすぎず、本考案を制限するものではない。本技術を熟知する者であれば、本考案の精神及び範疇を逸脱しないことを前提に、前記実施例を補足又は変更可能である。よって、当業者が本考案で開示する精神と技術思想を逸脱することなく完了するあらゆる等価の補足又は変更は、依然として本考案の請求の範囲に包括される。
【符号の説明】
【００２９】
１    脚部支持本体
２      背部支持本体
１１    上方に位置する基体
１２    下方に位置する基体
２１    背中支持部
２２    折り曲げ部
１０１    収容溝
１０２    重量軽減凹溝
１０３    凹溝部
１０４    据え付け孔
２０１    中心孔
【図１】
0003231443.tif 000003
【図２】
0003231443.tif 000004
【図３】
0003231443.tif 000005
【図４】
0003231443.tif 000006